(57)【要約】  医療施設において使用され、床スペースを仕切り病院設備モジュールを支えるモジュール壁システム（２０）を提供する。床の上に垂直上方に立つよう構成された複数の枠ユニット（１００）を備え、該複数の枠ユニット（１００）は垂直方向と横方向に互いに隔てられ所定の高さ（１３２）と所定の幅（１３０）を有する複数の壁空間から成るグリッドを形成する。複数の家族ゾーンモジュール（２４）が、該壁空間に配置され医療施設の壁（２６）を形成するよう構成されている。
2008501877.tif 000002
【特許請求の範囲】
【請求項１】
医療施設において使用されるモジュール壁システムであって、
横に並んで配列された複数の枠ユニットと、
該枠ユニットに結合され該医療施設の壁を形成する複数の家族ゾーンモジュールと
を備えるモジュール壁システム。
【請求項２】
前記複数の枠ユニットは、垂直方向と横方向に互いに隔てられ所定の高さと所定の幅を有する複数の壁空間から成るグリッドを形成し、前記複数の家族ゾーンモジュールは、該壁空間に配置され壁を形成するよう構成されている請求項１に記載のシステム。
【請求項３】
前記複数の家族ゾーンモジュールの少なくとも幾つかは、前記壁空間の前記所定の幅の１倍を含む倍数にほぼ等しい幅と、前記壁空間の前記所定の高さの１倍を含む倍数にほぼ等しい高さとを有する請求項２に記載のシステム。
【請求項４】
前記各枠ユニットは、所定の高さと所定の幅だけ互いに隔てられグリッドを形成する複数の接続点を有し、前記複数の家族ゾーンモジュールは該接続点において該枠ユニットに結合され壁を形成する請求項１に記載のシステム。
【請求項５】
前記複数の家族ゾーンモジュールの少なくとも幾つかは、前記所定の幅の１倍を含む倍数にほぼ等しい幅と、前記所定の高さの１倍を含む倍数にほぼ等しい高さとを有する請求項４に記載のシステム。
【請求項６】
前記接続点において前記枠ユニットに取外し可能に結合されるよう構成された複数の支持部材を備え、
該支持部材は該枠ユニットからカンチレバー状に概ね水平に延び、前記複数の家族ゾーンモジュールは該支持部材に結合され壁を形成するよう構成されている請求項４に記載のシステム。
【請求項７】
前記各家族ゾーンモジュールは、その両側に配置されたガイドトラックの対を１つ以上備え、該ガイドトラックの対は対向して配置された支持部材の関連する対を受容するように寸法設定及び配置されている請求項６に記載のシステム。
【請求項８】
前記家族ゾーンモジュールは、収納式ベッドモジュールと、電子レンジモジュールと、冷蔵庫モジュールと、キャビネットモジュールと、引出しモジュールと、展開式座モジュールと、読書灯モジュールと、テレビモジュールと、展開式作業面モジュールと、棚モジュールと、洋服ダンスモジュールと、飾りパネルモジュールと、ホワイトボードモジュールと、画鋲面モジュールと、ムードパネルモジュールとのうち１つ以上を含む請求項１に記載のシステム。
【請求項９】
前記収納式ベッドモジュールは、囲いに結合され下げ使用位置と上げ収納位置との間を移動可能な台を備え、該下げ使用位置においては、該台は該囲いからほぼ水平に延びる請求項８に記載のシステム。
【請求項１０】
前記台が前記収納位置にある時は、該台の外方に面する下面は、楽しい外観を作るために使用可能な面を提供する請求項９に記載のシステム。
【請求項１１】
前記台の上方に面する面上に位置するマットレスを備える請求項９に記載のシステム。
【請求項１２】
前記マットレスは、前記台が前記収納位置に持上げられた時、適切な位置に保持されるよう該台に取付けられる請求項１１に記載のシステム。
【請求項１３】
前記マットレスは、空気マットレスである請求項１１に記載のシステム。
【請求項１４】
前記収納式ベッドモジュールは、前記台に結合され下げ使用位置と上げ収納位置との間を移動可能な足パネルを備え、該下げ使用位置においては、該足パネルは床の上に立ち、該台を支える請求項９に記載のシステム。
【請求項１５】
前記収納式ベッドモジュールは、前記台の頭端の近くに読書灯を備える請求項９に記載のシステム。
【請求項１６】
前記収納式ベッドモジュールは、前記台の前記収納位置と使用位置との間の移動を助けるガスばねを備える請求項９に記載のシステム。
【請求項１７】
前記展開式座モジュールは、下げ使用位置と上げ収納位置との間を移動可能な座パネルを備える請求項８に記載のシステム。
【請求項１８】
前記展開式座モジュールは、前記下げ使用位置において前記座パネルを支えるブレースを備える請求項１７に記載のシステム。
【請求項１９】
前記展開式座モジュールは、前記座パネルの上方に面する面上に位置するクッションを備える請求項１７に記載のシステム。
【請求項２０】
前記クッションは、前記座パネルが前記収納位置に持上げられた時、適切な位置に保持されるよう該座パネルに取付けられる請求項１９に記載のシステム。
【発明の詳細な説明】
【技術分野】
【０００１】
本発明は、適応性のある臨床環境、特に臨床環境における壁を構築するためのモジュールシステムに関する。
【背景技術】
【０００２】
医療施設内の壁を構築する従来の方法は、医療施設の床及び／又は天井にほぼ永久的に取付けられる木材、鋼材、及び壁板を使用する。従来の構築方法は、建築作業を完了させるために大工、塗装工、配管工、電気工等の様々な職人をスケジュールする困難さに起因する長く低信頼性の建築時間を伴う。このような従来の方法を使用して建築された部屋及び空間は、容易には再構成することができない。このような再構成は、存在する壁の取り壊しを必要とし、コストと時間が掛かり、業務を妨げるだけでなく、多量のごみ、ほこり、及び騒音を生成する。取除かれた材料は一般に再利用できず処分するしかない。
【０００３】
開いた空間を複数の小部屋に分けるモジュール壁システムは周知である。このようなシステムの例が、特許文献１と特許文献２に開示されている。両方とも名称は「モジュール式病室」である。
【特許文献１】米国特許出願公開第２００２−０１０４２７１号明細書
【特許文献２】米国特許第６，４０５，４９１号明細書
【０００４】
《関連する出願への相互参照》
本出願は、２００４年０６月０３日付で出願した米国仮特許出願第６０／５７６，８５５号及び第６０／５７６，８６８号の利益を主張する同一の譲渡人に譲渡する通常の特許出願である。これら全ての出願を本明細書に援用する。
【発明の開示】
【課題を解決するための手段】
【０００５】
本発明は、単独でまたは組合せで特許性のある事項を構成する下記の複数の特徴のうち１つ以上又はそれらの組合せを有するシステムを含む。
【０００６】
壁を構築するためのシステムは、複数の接続点を有する複数の枠ユニットと、該接続点において該枠ユニットに結合され壁を形成する複数の家族ゾーンモジュールとを備えてもよい。前記複数の枠ユニットは、垂直方向と横方向にそれぞれ所定の間隔で互いに隔てられた複数の接続点から成るグリッドを形成する。前記複数の家族ゾーンモジュールの少なくとも幾つかは、前記所定の横方向間隔の１倍を含む倍数にほぼ等しい幅と、前記所定の垂直方向間隔の１倍を含む倍数にほぼ等しい高さとを有する。
【０００７】
前記家族ゾーンモジュールの幾つか例は、訪問者用収納式ベッドモジュール、電子レンジモジュール、冷蔵庫モジュール、キャビネットモジュール、引出しモジュール、展開式座モジュール、読書灯モジュール、テレビモジュール、展開式作業面モジュール、棚モジュール、洋服ダンスモジュール、飾りパネルモジュール、ホワイトボードモジュール、画鋲面モジュール、及びムードパネルモジュールである。このリストは例にすぎず、全てを網羅していることを意図していない。
【０００８】
上記以外の特徴が、単独でまたは上記又は請求項に記載された特徴と組合せで特許性のある事項を構成する可能性があり、発明を実施するための現時点での最良の形態である以下の実施形態の詳細な説明から、当業者に明らかとなるであろう。
【発明を実施するための最良の形態】
【０００９】
図１と図２は、壁を構築するためのモジュール壁システム２０を示す。図示のように、モジュール壁システム２０は、複数の基礎構造部品２２と、基礎構造部品２２に結合され壁２６を形成する、家族ゾーンモジュール２４等の複数のモジュールとを備える。このようなシステム２０は、例えば個室の病室２８等の医療施設内の壁を構築するために使用される。
【００１０】
図１を参照すると、家族ゾーンモジュール２４は、例として収納式ベッドモジュール２００（図３に示す）、電子レンジモジュール２０２（図４に示す）、冷蔵庫モジュール２０４（図５に示す）、キャビネットモジュール２０６（図６に示す）、引出しモジュール２０８（図７に示す）、展開式座モジュール２１０（図９に示す）、読書灯モジュール２１２（図１０に示す）、テレビモジュール２１４、展開式作業面モジュール２１６、棚モジュール２１８、洋服ダンスモジュール２２０、飾りパネルモジュール２２２、ホワイトボードモジュール２２４、画鋲面モジュール２２６、及びムードパネルモジュール２２８である。上記リストは一例であり、全てを網羅していることを意図していない。また、病室２８の家族エリアの床１５２上の椅子２３０と、病室２８の家族エリアに近接した従来の壁１６０の窓２３２とが図１に示されている。
【００１１】
図１の例としての壁２６は、複数の家族ゾーンモジュール２４を備えているが、該モジュール式壁は他の種類のモジュール、例えば患者医療モジュール、足壁モジュール、臨床壁モジュール、衛生ゾーンモジュール等(不図示)を備えてもよい。患者医療モジュールの幾つかの例は、生命徴候モジュール、サービス提供モジュール、ベッドロケータモジュール、モニターモジュール、ビューボックスモジュール、鋭利物廃棄モジュール、コンピュータ／キーボードモジュール、管投下モジュール、廃棄物管理モジュール、灯りモジュール、及び時計モジュールである。このような患者医療モジュールは、国際特許出願Ｎｏ．PCT／US２００５／xxxxxx（attorney docket no. 7175-78002）に開示されている。この出願は本出願と同一の譲渡人に譲渡する特許出願であり、この出願を本明細書に援用する。用語「病院設備モジュール」は、広義の意味で使用されており、患者医療モジュール、足壁モジュール、臨床壁モジュール、家族ゾーンモジュール、衛生ゾーンモジュール、ドアモジュール、窓モジュール、展開式ベッドモジュール、生命徴候モジュール、装置収納モジュール等を含んでいる。
【００１２】
図２に示すように、基礎構造部品２２は枠ユニット１００と、複数の支持部材１０２とを含む。本実施形態では、支持部材１０２は枠ユニット１００に取外し可能に結合されるよう構成されたハンガーである。各枠ユニット１００は一対の垂直部材１１０と、枠ユニット１００の上部と底部の近くにおいて垂直部材１１０間を延びる一対の水平部材１１２とを備え、垂直部材１１０と水平部材１１２は、枠ユニット１００の前面１１６と後面１１８の間に亘る開いた空間または空洞１１４を中央に有する概ね矩形の構造体を形成する。図示のように、垂直部材１１０と水平部材１１２とは概ね矩形の断面を有する管状部材から作られている。
【００１３】
各枠ユニット１００の垂直部材１１０は、枠ユニット１００の前側１１６に面した第１の数の接続点１２０と、枠ユニット１００の後側１１８に面した第２の数の接続点１２０とを有する。本実施形態では、第１の数の接続点１２０は、枠ユニット１００の前方１１６に面しその奥行きに沿って延びる第１の数のハンガー受容穴１２０であり、同様に、第２の数の接続点１２０は、枠ユニット１００の後側１１８に面しその奥行きに沿って延びる第２の数のハンガー受容穴１２０である。ハンガー受容穴１２０はハンガー１０２を受容する寸法及び形を有す。挿入された時、ハンガー１０２は枠ユニット１００のハンガー受容穴１２０に嵌合し、固く適正にロックされる。図示のように、ハンガー１０２とハンガー受容穴１２０とは横断面が概ね矩形である。ハンガー１０２は、枠ユニット１００からカンチレバー状に概ね水平に延びる。下記に説明するように、ハンガー１０２の長さは、ハンガー１０２によって支持されるモジュール２４の奥行きに概ね一致する。
【００１４】
各枠ユニット１００の幅又はＸ軸に沿った、垂直部材１１０のハンガー受容穴１２０同士の中心間の横方向間隔１３０は固定である。図示のように、ハンガー受容穴１２０の中心間横方向間隔１３０は約２フィート（約６０センチメートル）である。各枠ユニット１００の高さ又はＺ軸に沿った、垂直部材１１０のハンガー受容穴１２０同士の中心間の垂直方向間隔１３２も固定である。図示のように、高さに沿ったハンガー受容穴１２０の中心間間隔１３２は約２フィート（約６０センチメートル）である。
【００１５】
従って、該第１の数と第２の数のハンガー受容穴１２０は、所定の幅１３０と所定の高さ１３２だけ互いに隔てられ、２フィート×２フィート（約６０センチメートル×約６０センチメートル）のグリッドを枠ユニット１００の両側１１６、１１８に形成する。各モジュール２４は、該所定の幅（本実施形態では２フィート又は約０．６０メートル）の１倍を含む倍数にほぼ等しい幅と、該所定の高さ（本実施形態では２フィート又は約０．６０メートル）の１倍を含む倍数にほぼ等しい高さを有する。
【００１６】
図２の実施形態では、第１の数のモジュール２４が、枠ユニット１００の前側１１６のハンガー１０２によって支持されている。第２の数のモジュール２４が、枠ユニット１００の後側１１８のハンガー１０２によって支持されている。図１１に示すように、各モジュール２４はモジュール２４の上端の近くの両側に配置された一対のガイドトラック又はチャネル１４０と、下端の近くの両側に配置された一対のガイドトラック又はチャネル１４０とを有する。上端と下端の二対のガイドトラック１４０は、枠ユニット１００の垂直部材１１０に取付けられた対応するハンガー１０２をスライド方式で受容する。ガイドトラック１４０とハンガー１０２はスライド嵌合するように寸法が決められている。適切なラッチによりモジュール２４がハンガー１０２に固定される。
【００１７】
各枠ユニット１００の下部水平部材１１２は、医療施設の床１５２に該枠ユニット１００を取付けるための一対の垂直に延びる貫通孔１５０を有する。同様に、各枠ユニット１００の上部水平部材１１２は、医療施設の床１５２から天井１５４に延びる該枠ユニット１００を天井１５４に取付けるための一対の垂直に延びる貫通孔１５０を有する。スタッド、ピン、ねじ、又はナットとボルト等の任意の適当な留め具１５６を、枠ユニット１００を床１５２と天井１５４とに取付けるために使用してもよい。本実施形態では、モジュール２４を例えば、モップ、床清掃器具等から保護できるように、枠ユニット１００は、床１５２の代わりにベース板１５８に取付けられ、ベース板１５８は床１５２に取付けられる。図示のように、ベース板１５８は高さ約４インチ（１０．１６センチメートル）である。
【００１８】
本実施形態では、各枠ユニット１００は両側の隣接する枠ユニット１００に結合される。また、医療施設の既存の通常の壁１６０に最も近い枠ユニット１００はその壁に取付けられる。このために、各枠ユニット１００の垂直部材１１０は複数の横方向に延びる貫通孔１６２を有する。スタッド、ピン、ねじ、又はナットとボルト等の任意の適当な留め具１６４を、各枠ユニット１００を両側の隣接する枠ユニット１００及び隣接する既存の通常の壁１６０に取付けるために使用してもよい。
【００１９】
ユーティリティ管１７２が医療施設の機械室から病室２８に配管されてもよい。ユーティリティ管１７２は通常、病室２８の床１５２、天井１５４又は壁２６を通って配管されてよい。水平部材１１２は垂直に延びる貫通スロット又は孔１７０を有し、これを通ってユーティリティ管１７２が枠部材１１０、１１２によって画成された開いた空間または空洞１１４に入る。次に、ユーティリティ管１７２は開いた空間１１４から関連するモジュール２４に配管される。例として、ユーティリティ管１７２はデータ線、ガス管、真空管、ＡＣ／ＤＣ電力線、温水管、冷水管、及び配管を含む。
【００２０】
また、ユーティリティ管１７２を枠ユニット１００の開いた空間１１４から両側の隣接する枠ユニット１００の開いた空間１１４へ配管するために、横方向に延びる貫通孔（不図示）を枠ユニット１００の垂直部材１１０に形成してもよい。次に、ユーティリティ管１７２は該隣接する枠ユニット１００の開いた空間１１４から関連するモジュール２４に配管される。枠ユニット１００の開いた空間１１４に、音及び／又は熱に対する絶縁材を充填してもよい。
【００２１】
家族ゾーンモジュール２４群は、ハンガー受容穴１２０の該所定の横方向間隔１３０の１倍を含む倍数にほぼ等しい幅を有する。本実施形態では、ハンガー受容穴１２０の該所定の横方向間隔１３０は約２フィート（約６０センチメートル）である。従って、家族ゾーンモジュール２４の幅は約２フィート（約６０センチメートル）、４フィート（約１２０センチメートル）、６フィート（約１８０センチメートル）等でありうる。家族ゾーンモジュール２４群は、ハンガー受容穴１２０の該所定の垂直方向間隔１３２の１倍を含む倍数にほぼ等しい高さを有する。本実施形態では、ハンガー受容穴１２０の該所定の垂直方向間隔１３２は約２フィート（約６０センチメートル）である。従って、家族ゾーンモジュール２４の高さは約２フィート（約６０センチメートル）、４フィート（約１２０センチメートル）、６フィート（約１８０センチメートル）、８フィート（約２４０センチメートル）等でありうる。
【００２２】
モジュール２４の幅と高さはそれぞれ、ハンガー受容穴１２０の該所定の横方向間隔１３０と該所定の垂直方向間隔１３２の１倍を含む倍数であるが、モジュール２４の奥行きは、その機能に依って変わる。例えば、飾りパネルモジュール２２２は奥行き約１インチ（２．５４センチメートル）である。上述のように、ハンガー１０２の長さは該ハンガー１０２によって支持されるモジュール２４の奥行きに概ね一致する。従って、奥行き１インチ（２．５４センチメートル）の飾りパネルモジュール２２２を支持するハンガー１０２の長さも、約１インチ（２．５４センチメートル）である。このようなモジュール壁システム２０は国際特許出願Ｎｏ．PCT／US２００５／xxxxxx（attorney docket no. 7175-78000）に開示されている。この出願は本出願と同一の譲渡人に譲渡する特許出願であり、この出願を本明細書に援用する。
【００２３】
図３を参照すると、収納式ベッドモジュール２００は、上方に延びる収納位置と外方に延びる使用位置との間を回動するために囲い又はキャビネット２５２に結合された台２５０を備える。該収納位置では、台２５０は囲い２５２内の台収容空間又は空洞２５４に収容され、該使用位置では、台２５０はキャビネット２５２からほぼ水平に延びる。台２５０は該上方に延びる収納位置と該外方に延びる使用位置との間を周知のマーフィーベッドの動きに類似した仕方で移動可能である。
【００２４】
病室内のスペースは医療施設の計画において常に問題となる。病室内の独立物は患者、介護者、及び訪問者にとって障害となりうる。台２５０は、不使用時、邪魔にならない収納位置へ移動可能であり、介護者が患者にアクセスするための床スペースを解放する。台２５０の下面２７６は絵を備えてもよい。これにより台２５０が該上方に延びる収納位置にある時、その絵は家庭のような楽しい、患者または訪問者の側に不安を生じさせそうにない外観を提供する。
【００２５】
囲い２５２は後部壁２５６と、一対の側壁２５８、２６０と、上部壁２６２と、底壁２６４とを有する。台収容空間２５４は側壁２５８、２６０と上部壁２６２と底壁２６４とによって画成される。壁２５８〜２６４の前縁は、前方に面する面２６６を画成する。台２５０は、頭端２７０と、足端２７２と、上面２７４（内方に面する面２７４とも呼ばれる）と、底面２７６（外方に面する面２７６とも呼ばれる）とを備える。空気マットレス等のマットレス２７８は、台２５０の上面２７４に置かれている。複数のストラップ（不図示）がマットレス２７８を台２５０に固定し、台２５０を収納位置に持上げた時に適正な位置に保持する。本実施形態ではマットレス２７８を台２５０に固定するためにストラップ（不図示）を使用しているが、他の適切な留め具を使用しても勿論よい。このような留め具の例は、ヴェルクロ（Velcro、登録商標）帯、ループ・タイ留め具、フック・アイ留め具、クリップ、スナップ、ジッパー等である。
【００２６】
台２５０の頭端２７０に近い複数のヒンジ（不図示）が、台２５０がキャビネット２５２に対して横方向に延びる第１の軸２９０の周りを上げ収納位置と下げ使用位置の間を回動するように台２５０を囲い２５２に結合する。台２５０を持上げた時、固定具またはラッチ（不図示）が台２５０を台収容空洞２５４内に保持する。該上げ収納位置では、台２５０の外方に面する面２７６は、囲い２５２の外方に面する面２６６とほぼ面一であり、その連続する部分のように見える。該下げ使用位置では、台２５０は囲い２５２から外方へ延び、台２５０の頭端２７０は囲い２５２の後部壁２５６の近くに位置する。
【００２７】
足パネル２９２は足端２７２の近くで台２５０に回動可能に結合され、足パネル２９２が台２５０の底面２７６にある足パネル収容空洞２９４に収容される上げ収納位置と、足パネル２９２が床１５２上に立ち、台２５０の足端２７２を支える下げ使用位置との間を回動する。台２５０の足端２７２に近い複数のヒンジ（不図示）は、足パネル２９２が台２５０に対して横方向に延びる第２の軸２９６の周りを回動するように足パネル２９２を台２５０に結合する。
【００２８】
足パネル２９２が台２５０の足パネル収容空洞２９４に収容された時は、足パネル２９２の外方に面する面２９８は台２５０の外方に面する面２７６と概ね同一平面上にあり、それの連続した部分のように見える。足パネル２９２は介護者が足パネル２９２を上げ収納位置と下げ使用位置の間を移動させるのを可能にするハンドル３００を備える。固定具またはロック（不図示）が足パネル２９２を足パネル収容空洞２９４に保持する。足パネル２９２が床１５２上に立ち、台２５０の足端２７２を支える下げ使用位置において、ラッチ（不図示）が足パネル２９２をロックする。用語「固定具」、「ラッチ」、及び「ロック」は相互に交換可能に使用される。
【００２９】
読書灯３０２とスイッチ３０４が囲い２５２の後部壁２５６に配置されている。スイッチ３０４は読書灯３０２を操作する。或いは、幾つかの実施形態では、読書灯３０２は台２５０を該使用位置に下した時に自動的にオンされる。囲い２５２の下部３０６は、空気マットレス２７８を膨張させるための装置、例えば圧縮機、モータ、コントローラ、配管、弁等を収納する。
【００３０】
例として、囲い２５２は幅約４フィート（約１２０センチメートル）、高さ約８フィート（約２４０センチメートル）、奥行き約１フィート（約３０センチメートル）であり、下部３０６は幅約４フィート（約１２０センチメートル）、高さ約２フィート（約６０センチメートル）、奥行き約１フィート（約３０センチメートル）であり、足パネル２９２は高さ約２フィート（約６０センチメートル）であり、台２５０は長さ約６．５フィート（約１９５センチメートル）である。台２５０が水平姿勢に下げられた時、台２５０の頭端２７０は囲い２５２内に約１フィート（約３０センチメートル）延び、台２５０の残りは囲い２５２の外に約５．５フィート（約１６５センチメートル）延びる。収納式ベッドモジュール２００を枠ユニット１００の垂直部材１１０に固定するハンガー１０２は長さ約２フィート（約６０センチメートル）である。
【００３１】
収納式ベッドモジュール２００を含む家族ゾーンモジュール２４は、ハンガー受容穴１２０間の該所定の横方向間隔１３０（本実施形態では２フィート又は約６０センチメートル）の倍数にほぼ等しい幅を有し、また、ハンガー受容穴１２０間の該所定の垂直方向間隔１３２（本実施形態では２フィート又は約６０センチメートル）の倍数にほぼ等しい高さを有する。
【００３２】
動作時、介護者は足パネル２９２を足パネル収容空洞２９４に保持しているラッチを解放し、足パネル２９２を伸ばし適正な位置にロックする。次に介護者は台２５０を台収容空洞２５４に保持しているラッチを解放し、台２５０を下げ使用位置に移動する。これにより足パネル２９２は床１５２上に立ち、台２５０の足端２７２を支える。台２５０の頭端２７０は、台２５０を囲い２５２に回動可能に結合するヒンジ（不図示）によって支えられる。台２５０を上げ収納位置に移動するには、上記手順の逆を行う。
【００３３】
台２５０の収納位置と使用位置の間の移動を助けるために、ガスばね又は他の手段を設けてよい。他の実施形態では、台２５０の収納位置と使用位置の間の移動時に介護者を助けるために、ばね、カウンターバランス機構、液圧アクチュエータ、電気モータ等を使用してもよい。
【００３４】
前述のように、図１１に示すように、収納式ベッドモジュール２００を含む家族ゾーンモジュール２４は、モジュール２４の上端の近くの両側に配置された一対のガイドトラック又はチャネル１４０と、下端の近くの両側に配置された一対のガイドトラック又はチャネル１４０とを有する。上端と下端の二対のガイドトラック１４０は、枠ユニット１００の垂直部材１１０に取付けられた対応するハンガー１０２をスライド方式で受容する。ガイドトラック１４０とハンガー１０２はスライド嵌合するように寸法が決められている。適切なラッチによりモジュール２４がハンガー１０２に固定される。
【００３５】
図４を参照すると、電子レンジモジュール２０２は、後部壁３２２と、一対の側壁３２４、３２６と、上部壁３２８と、底壁３３０と、上部棚３３２と、下部棚３３４とを有するキャビネット又はハウジング３２０を備える。第１の区画３３６は上部壁３２８と上部棚３３２と側壁３２４、３２６とによって画成される。第１の区画３３６は通常の電子レンジ３３８を収容する。第２の区画３４０は上部棚３３２と下部棚３３４と側壁３２４、３２６とによって画成される。台所用品引出し３４２は第２の区画３４０にスライド可能に装着される。第３の区画３４４は下部棚３３４と底壁３３０と側壁３２４、３２６とによって画成される。食材を用意するため等のスライド式作業面３４６が第３の区画３４４に装着される。電子レンジ３３８はドア３４８と複数の制御手段３５０を備える。台所用品引出し３４２と作業面３４６は、それぞれハンドル３５２、３５４を備える。電気線３５６がコンセントから電子レンジ３３８へ配線される。
【００３６】
図５に示すように、冷蔵庫モジュール２０４は家族使用と患者滋養のための小さな通常の冷蔵庫３６０を備える。冷蔵庫３６０はハンドル３６４を有するドア３６２を備える。電力コード３６６が冷蔵庫３６０へ配線される。図６を参照すると、キャビネットモジュール２０６は収納のための内部空間を有するキャビネット３７０を備える。キャビネット３７０は該内部空間を閉じるための回動可能にキャビネット３７０に結合された一対のドア３７２を備える。各ドア３７２はノブ３７４を有する。例としてのキャビネット３７０は幅２フィート（約６０センチメートル）、高さ４フィート（約１２０センチメートル）、奥行き２フィート（約６０センチメートル）である。該キャビネット３７０は幅２フィート（約６０センチメートル）、高さ４フィート（約１２０センチメートル）、奥行き２フィート（約６０センチメートル）であるが、キャビネット３７０は幅２フィート（約６０センチメートル）、高さ２フィート（約６０センチメートル）、奥行き２フィート（約６０センチメートル）、又は幅２フィート（約６０センチメートル）、高さ２フィート（約６０センチメートル）、奥行き１フィート（約３０センチメートル）、又は幅２フィート（約６０センチメートル）、高さ４フィート（約１２０センチメートル）、奥行き１フィート（約３０センチメートル）等であってもよい。
【００３７】
図７、図８に示すように、引出しモジュール２０８は、後部壁３８２と、一対の側壁３８４、３８６と、上部壁３８８と、底壁３９０と、上部棚３９２と、下部棚３９４とを有するハウジング３８０を備える。第１の区画３９６は上部壁３８８と上部棚３９２と側壁３８４、３８６とによって画成される。第２の区画３９８は上部棚３９２と下部棚３９４と側壁３８４、３８６とによって画成される。第３の区画４００は下部棚３９４と底壁３９０と側壁３８４、３８６とによって画成される。各区画３９６、３９８、４００は、ノブ４０４を有する収納のための引出しユニット４０２を備える。例としてのハウジング３８０は幅２フィート（約６０センチメートル）、高さ２フィート（約６０センチメートル）、奥行き２フィート（約６０センチメートル）である。図７の実施形態では、各区画３９６、３９８、４００は、高さ約８インチ（約２０センチメートル）である。しかし、図８の実施形態では、上の２つの区画３９６、３９８はそれぞれ高さ６インチ（約１５センチメートル）であり、下の区画４００は高さ１フィート（約３０センチメートル）である。例としてのハウジング３８０は幅２フィート（約６０センチメートル）、高さ２フィート（約６０センチメートル）、奥行き２フィート（約６０センチメートル）であるが、ハウジング３８０は幅２フィート（約６０センチメートル）、高さ４フィート（約１２０センチメートル）、奥行き２フィート（約６０センチメートル）、又は幅２フィート（約６０センチメートル）、高さ６フィート（約１８０センチメートル）、奥行き１．５フィート（約４５センチメートル）等であってもよい。
【００３８】
図９を参照すると、展開式座モジュール２１０はフリップダウン座パネル４１０を備える。一対のブレース４１２、例えばケーブル、ロープ、鎖、又は関節付きの連結器が水平使用姿勢の座パネル４１０を支える。座パネル４１０は該水平使用姿勢から垂直収納姿勢に回動可能である。展開式座モジュール２１０は、座パネル４１０を該収納姿勢にロックするための適当な保持機構を有する。該上げ収納位置と下げ使用位置の間の回動のために、複数のヒンジ（不図示）が座パネル４１０を枠部材４１４に結合する。座パネル４１０の上方に面する面４１６はクッション４１８を支える。座パネル４１０が収納位置にある時、座パネル４１０の前方に面する面４２０は枠部材４１４の前方に面する面４２２と概ね同一平面上にあり、それの一部のように見える。
【００３９】
複数のストラップ（不図示）がクッション４１８を座パネル４１０に取付け、座パネル４１０が収納位置に持上げられた時に適正な位置にそれを保持する。本実施形態では、クッション４１８を座パネル４１０に取付けるためにストラップ（不図示）が使用されているが、他の適当な留め具を使用してもよい。このような留め具の例は、ヴェルクロ（Velcro、登録商標）帯、ループ・タイ留め具、フック・アイ留め具、クリップ、スナップ、ジッパー等である。
【００４０】
図１０に示すように、読書灯モジュール２１２は、後部壁４３２と、一対の側壁４３４、４３６と、上部壁４３８と、底壁４４０とを有する立方体４３０を備える。壁４３２〜４４０は内部空間または空洞４４２を画成する。読書灯４４４が関節付き入れ子式アーム上に装着され、読書灯４４４が空洞４４２外に位置する伸ばされた使用位置と、読書灯４４４が空洞４４２内に引込められた収納位置との間を移動可能である。基部端４４８は後部壁４３２に結合される。電気線４５０が読書灯４４４へ配線される。
【００４１】
図１を参照して、テレビモジュール２１４、展開式作業面モジュール２１６、棚モジュール２１８、洋服ダンスモジュール２２０、飾りパネルモジュール２２２、ホワイトボードモジュール２２４、画鋲面モジュール２２６、及びムードパネルモジュール２２８を説明する。テレビモジュール２１４はテレビ４６０、ＤＶＤプレーヤ４６２、及びＶＣＲ４６４を備える。作業面モジュール２１６は、水平使用位置と垂直収納位置の間を回動可能なフリップダウンパネル４６６を備える。ブレース（不図示）、例えばケーブル、ロープ、鎖、又は関節付きの連結器を該使用位置においてパネル４６６を支えるために設けてもよい。複数のヒンジ（不図示）がパネル４６６を枠部材４６８に回動可能に結合する。パネル４６６が該水平使用位置にある時、パネル４６６の上方に面する面が作業面を提供する。パネル４６６が該収納位置にある時、パネル４６６は枠部材４６８のパネル収容開口に収容され、パネル４６６の外方に面する面は枠部材４６８の前方に面する面と概ね同一平面上にあり、それの一部のように見える。ハンドル４７０がパネル４６６の下面に設けられ、介護者がパネル４６６を開閉するのを可能にする。作業面モジュール２１６は、パネル４６６を該収納位置に保持するための固定具を備えてもよい。
【００４２】
棚モジュール２１８は、後部壁と、一対の側壁と、上部壁と、底壁とによって画定された収納空間４７４を形成するよう構成された囲い４７２を備える。洋服ダンスモジュール２２０は、後部壁と、一対の側壁と、上部壁と、底壁とによって画定された内部空間を形成するよう構成されたキャビネット４７６を備える。該キャビネット４７６は、複数のハンガーを支持する横方向に延びるハンガー棒（不図示）を備える。該キャビネット４７６は該内部空間を閉じるための回動可能に取付けられた一対のドア４７８を備える。各ドア４７８はハンドル４８０を有する。例としてのキャビネット３７０は幅２フィート（約６０センチメートル）、高さ４フィート（約１２０センチメートル）、奥行き２フィート（約６０センチメートル）である。
【００４３】
飾りパネルモジュール２２２を該モジュール式空間を閉じる又は覆うために設けてもよい。飾りパネルモジュール２２２は家庭のような楽しい、患者または訪問者の側に不安を生じさせそうにない外観を提供する。飾りパネルモジュール２２２は様々な飾り仕上げ、例えばラミネート、プラスチックシート、ビニール壁カバー、木ベニア、塗装可能表面等を提供する。例としての飾りパネルモジュール２２２は奥行き約１インチ（２．５４センチメートル）である。ホワイトボードモジュール２２４は、筆記具を保持するためにその下端に沿って凹状棚４８２を備えてもよい。画鋲面モジュール２２６は繊維またはコルクから成る画鋲面を備え、水平または垂直に置かれてよい。ムードパネルモジュール２２８は患者又は訪問者によって制御されるバックライト付きパネルを備え、該パネル上の色と場面を強める雰囲気を投影する。ムードパネルモジュール２２８は水平または垂直に置かれてよい。
【００４４】
上述のように、図３〜図１０には示していないが、各家族ゾーンモジュール２４はモジュール２４の上端の近くの両側に配置された一対のガイドトラックまたはチャネル１４０と、下端の近くの両側に配置された一対のガイドトラックまたはチャネル１４０とを図１１に示すように有する。上端と下端の二対のガイドトラック１４０は、枠ユニット１００の垂直部材１１０に取付けられた対応するハンガー１０２をスライド方式で受容する。ガイドトラック１４０とハンガー１０２はスライド嵌合するように寸法が決められている。モジュール２４をハンガー１０２に固定するために適切なラッチを使用する。
【００４５】
家族ゾーンモジュール２４はハンガー受容穴１２０間の該所定の横方向間隔１３０の１倍を含む倍数にほぼ等しい幅を有し、ハンガー受容穴１２０間の該所定の垂直方向間隔１３２の１倍を含む倍数にほぼ等しい高さを有する。モジュール２４の幅と高さはそれぞれ、該所定の横方向間隔１３０と該所定の垂直方向間隔１３２の１倍を含む倍数であるが、モジュール２４の奥行きは、その機能に依って変わる。
【００４６】
また、家族ゾーンモジュール２４の多くは、病室の足壁を形成するために使用することができる。足壁ゾーンモジュールは、患者の所有物、情報、及び娯楽に関係するので、その患者のニーズに沿って設計される。従って、足壁ゾーンモジュールとしても使用できる家族ゾーンモジュール２４の例は、例えば、キャビネットモジュール２０６、引出しモジュール２０８、テレビモジュール２１４、棚モジュール２１８、飾りパネルモジュール２２２、ホワイトボードモジュール２２４、画鋲面モジュール２２６、及びムードパネルモジュール２２８である。
【００４７】
本発明は様々な変更と別の形態が可能であるが、本明細書において特定の幾つかの実施形態を例として図に示し、詳細に説明した。しかし、本発明を開示した特定の形態に限定することを意図したものでなく、本発明は、添付の請求項により定義された本発明の思想と範囲内に入る全ての改良物、等価物、及び別の形態を含むことは理解されるべきである。
【００４８】
本明細書において説明した実施形態の様々な特徴から生じる本発明の複数の利点が存在する。説明した特徴の一部だけを含む本発明の他の実施形態は、前記複数の利点のうち少なくとも幾つかの利点を有する。当業者は、本発明の特徴のうち１つ以上を備える、添付の請求項により定義された本発明の思想と範囲内に入る実施形態を容易に思いつく可能性がある。
【図面の簡単な説明】
【００４９】
【図１】複数の家族ゾーンモジュールを備えるモジュール式壁を示す立面図である。
【図２】ハンガー受容穴を有する複数の枠ユニットと、該枠ユニットのハンガー受容穴に受容された複数のハンガーと、該ハンガーによって取外し可能に支持された様々な家族ゾーンモジュールとを示す図１のモジュール式壁の一部の斜視図である。
【図３】収納式ベッドモジュールの斜視図である。
【図４】電子レンジモジュールの斜視図である。
【図５】冷蔵庫モジュールの斜視図である。
【図６】キャビネットモジュールの斜視図である。
【図７】引出しモジュールの斜視図である。
【図８】引出しモジュールの斜視図である。
【図９】展開式座モジュールの斜視図である。
【図１０】読書灯モジュールの斜視図である。
【図１１】枠ユニットに取付けられたハンガーをスライド受容するためのガイドトラックを有するモジュールの斜視図である。
【符号の説明】
【００５０】
２０  モジュール壁システム
２４  家族ゾーンモジュール
１００  枠ユニット
１０２  支持部材、ハンガー
１１０  垂直部材
１１２  水平部材
【図１】
2008501877.tif 000003
【図２】
2008501877.tif 000004
【図３】
2008501877.tif 000005
【図４】
2008501877.tif 000006
【図５】
2008501877.tif 000007
【図６】
2008501877.tif 000008
【図７】
2008501877.tif 000009
【図８】
2008501877.tif 000010
【図９】
2008501877.tif 000011
【図１０】
2008501877.tif 000012
【図１１】
2008501877.tif 000013
【国際調査報告】
2008501877.tif 000014